(57)【要約】      （修正有）【課題】最近の郵便事情は昔と異なり各企業及び商社、商店によるＰＲ資料や勧誘パンフレット等各家庭に毎日のように多数送られてくる封書類は年々増加の傾向にある。又日常生活の中においても食品に関して持ち運び便利なビニール袋や真空パック及びトレー入り食品が増えこれらの開封には従来からカッターナイフ及び包丁、ハサミ等が使用されてきました。本発明の課題は、完全で綺麗に簡単に開封できる封書及び各種ビニール袋の口切り器具を提供すること。【解決手段】上段、中段、下段の３つのパーツの合体により構成された口切り器具で上段の前方に取り付けた替え刃と下段の前の替え刃受け取り溝との間に切り口部分を挟んで手前に引き寄せる事で綺麗で簡単に挟みきり方法の口切り器具である。【選択図】  図１
2006230991.tif 000002
【特許請求の範囲】
【請求項１】
本発明の封書及び各種ビニール袋口切り器具は上段、中段、下段の３つのパーツの合体により構成された封書や各種ビニール袋の口切り器具で上段の前方に取り付けた替え刃と下段の前の替え刃受け止め溝との間に切りたい部分を挟んで軽く押さえて手前に引き寄せる事で簡単に綺麗に切れる挟み切り方法の封書及び各種ビニール袋の口切り器具。
【請求項２】
下段に取り付けた移動式調整部分はビニール袋や封書の開封口の奥行きを浅くも深くも自在に切り開く事が出来る調整する部品を取り付けているので封書やビニール袋の大小にかかわらず幅広く使用出来る封書及び各種ビニール袋口切り器具。
【請求項３】
上段に取り付けた替え刃取り付け部分を取り外して９０度向きを変えると同じに移動式調整部分を手前に引き抜いて逆に入れ替えることにより左利き用に変えることが出来る封書及び各種ビニール袋口きり器具。
【発明の詳細な説明】
【技術分野】
【０００１】  本発明は封書及び各種ビニール袋その他食料品の保存用真空パック等の口切をワンタッチで安全かつ簡単で綺麗に開封出来る器具に関する。［背景技術］【０００２】  従来は日常生活において個人又は官公庁並びに民間企業から送られてくる封書類は大幅に増加している。この封筒にはカッターナイフ、包丁、ハサミ等がいろいろ多様化した物を使用しているが、しかしそれらは機能的に変わらずただ単にデザイン化されたものである。【０００３】［特許文献１］  特開２００４−１８１１７５号広報参照も刃の取り付けられた点は共通点があるものの使用目的や用途が牛乳パックや紙パックに限定されているので本発明の封書及び各種ビニール袋口きり器具と異なり比較出来ない。［特許文献２］  特開平１１−１０９６号広報は食品入りビニール袋や封書を開封する機能と開封後の食品入りビニール袋の口を止めたり一時的保存するクリップ出来る機能を併せ持った器具なので本発明の封書及び各種ビニール袋口切器具とかなり機能的に異なるので対象外の器具である。【０００４】［非特許文献］  例えば著者小林正義のみんなの郵便文化史の中で明治４年３月１日郵便制度が創業され飛脚便がいつでもどこでも誰でも自由に利用できるようになった明治８年には郵便局という名称が誕生し取り扱い業務が大きく発展し封書も大量に処理されるようになって又郵便局が全国的にネット化され現在封書の取り扱い量は計り知れないほど膨大化している。しかし封書の開封に関して専用開封器具は存在しない。［発明の開示］［発明が解決しようとする課題］【０００５】  本発明は最近の郵便事情は昔と異なり各企業及び商社、商店によるＰＲ資料や勧誘パンフレット等各家庭に毎日のように多数送られてくる。これらの封書類は年々増加の傾向にありそれらの封書類の開封に関してはカッターナイフ、包丁及びハサミ等の使用で新しい開封器具は見られない。又日常生活の中でも食品に関して商品やスーパーでは缶やビン入り商品が減少しこれに変わって軽くて持ち運び便利なビニール袋や、真空パック及びトレー入り食品が増え、これらの開封には本発明の封書及び各種ビニール袋口切り器具は安全で簡単に開封出来る。［課題を解決するための手段］【０００６】  上記目的を達成するため封書及び各種ビニール袋の開封には従来よりカッターナイフ、包丁及びハサミなど使用されてきた。しかし、時には開封器具選定に困惑するときがある。例えば豆腐の容器など一応手で開封できるよう工夫されているが非常に堅く密封されているので年寄りや子供には容易に空けることの出来ない不便さがある。又これらの器具類は幼児や子供のいる家庭では身近に放置すると大変危険なので上記の事項を考慮した本発明の封書及び各種ビニール袋の口切利器具は非常に安全できれいに開封出来る器具である。［発明効果］【０００７】  日常生活における各種ビニール袋の使用は日用品から食料品まで幅広く利用され今後益々増加の傾向にある。特に食材に関しては水物や練り製品及び固形物がパック詰めされそれらの袋や器具の開封にはそれぞれ工夫されているがしかし例えば豆腐やレトルト食品等は堅く密封されているので年寄りや子供には難点がある。しかし本発明の封書及び各種ビニール袋口切り器具は切り��を浅くも深くも自由に調整出来るので今後各家庭生活において大変効果的である。［本発明を実施するための最良の形態］【０００８】  図１は図４、図７、図１０の３つのパーツの合体により構成された封書及び各種ビニール袋の口切り器具で本発明の第１の実施の形態に係り図１はその外観斜視図、図２は器具全体の断面図、図３は器具全体の平面図である。この器具の構造は上述のように３つのパーツの合体によるものでその機能については図１０と図４で開封したい部分を挟んで図４に取り付けてある図１３の変え刃の刃先でカットするものである。図４、図５、図６、は３つのパーツの上段の部分にいちするものである。この図４は上段の位置する部分の斜視図で図５は同じく上段に位置する部分の断面図である。図６も同じく上段の位置する部分の平面図である。この図４の働きは前先に取り付けた図１３替え刃取り付け部分である。また図１３を抜き取り９０度方向転換に差し替えると共に図１８を抜き取り逆に差し替えれば左利き用に変えられる仕組みになっている。図７、図８、は本体の中段部分の部品でその働きは上下のパーツの働きを円滑にするための部分である。図７はその斜視図である。図８は断面図で同じく図９は平面図である。図１０、図１１、図１２は本体の下段の部分で図４、図７の働きを全部受け止め特に図１０の機能は図１３の機能を受け止めて図２１のスプリングで上下の力を和らげて図１０に取り付けられた図１７の部分は図１８を前後に動かすためのレールである。図１８を前後に動かして切り口の位置を定めるための部分である。図１０は本体の下段の部分の斜視図で図１１は同じく下段の部分の断面図、同じく図１２は下段の部分の平面図である。図１３、図１４、図１５、図１６は図４に取り付ける替え刃の取り付け部品で図１３は全体の斜視図、図１４は替え刃取り付け部分の替え刃締め付け部分ケース取り外した全体図である。図１５は変えは取り付け部分の平面図である。図１６は替え刃取り付け部分の平面図である。図１６は替え刃締め付けケースの斜視図、図１７は図１０の底の部分に取り付けた図１８を前後に動かすためのレールである。図１８は図１０に取り付けた切り口の長さを調整する部分の斜視図である。図１９は調整部分の断面図である。図２０は調整部分の平面図である。図２１は図７及び図１２に取り付けたスプリングである。図２１は図１３に装置する替え刃である。
【図面の簡単な説明】
【０００９】
【図１】封書及び各種ビニール袋口切り器具の斜視図である。
【図２】封書及び各種ビニール袋口切り器具の断面図である。
【図３】封書及び各種ビニール袋口切り器具の斜視図である。
【図４】封書及び各種ビニール袋の切口器具の上部の部分の斜視図である。
【図５】封書及び各種ビニール袋の切口器具の上部の部分の断面図である。
【図６】封書及び各種ビニール袋の切り口器具の上部の部分の平面図である。
【図７】封書及び各種ビニール袋の口切り器具の中段部分の斜視図である。
【図８】封書及び各種ビニール袋の口切り器具の中段部分の断面図である。
【図９】封書及び各種ビニール袋の口切り器具の中段部分の平面図である。
【図１０】封書及び各種ビニール袋の口切り器具の下段部分の斜視図である。
【図１１】封書及び各種ビニール袋の口切り器具の下段部分の断面図である。
【図１２】封書及び各種ビニール袋の口切り器具の下段部分の平面図である。
【図１３】封書及び各種ビニール袋の口きり器具の替え刃の取り付け部分の斜視図である。
【図１４】封書及び各種ビニール袋の口きり器具の替え刃取り付け部分の断面図である。
【図１５】封書及び各種ビニール袋の口切り器具の替え刃の取り付け部分の平面図である。
【図１６】封書及び各種ビニール袋の口きり器具の替え刃の取替え替え刃の締め付けパイプの斜視図である。
【図１７】封書及び各種ビニール袋の口切り器具図１８を前後に移動させる為のレールである。
【図１８】封書及び各種ビニール袋の口切り器具の口きり箇所を設定する部分の斜視図である。
【図１９】封書及び各種ビニール袋の口切り器具の口きり箇所を設定する部分の斜視図である。
【図２０】封書及び各種ビニール袋の口切り器具の口切り箇所を設定する部分の平面図である。
【図２１】封書及び各種ビニール袋の口切り器具の上下の部分の動きを柔軟にするためのスプリングの斜視図である。
【図２２】封書及び各種ビニール袋の口切り器具図１３に装置する替え刃の全体図である。
【符号の説明】
【００１０】  ４  押えカバー  ７  替え刃補助金具１０  替え刃受け止め金具１３  １４  １５  替え刃取り付け部品１７  レール１８  １９  ２０  移動式調整部品２１  スプリング２２  刃
【図１】
2006230991.tif 000003
【図２】
2006230991.tif 000004
【図３】
2006230991.tif 000005
【図４】
2006230991.tif 000006
【図５】
2006230991.tif 000007
【図６】
2006230991.tif 000008
【図７】
2006230991.tif 000009
【図８】
2006230991.tif 000010
【図９】
2006230991.tif 000011
【図１０】
2006230991.tif 000012
【図１１】
2006230991.tif 000013
【図１２】
2006230991.tif 000014
【図１３】
2006230991.tif 000015
【図１４】
2006230991.tif 000016
【図１５】
2006230991.tif 000017
【図１６】
2006230991.tif 000018
【図１７】
2006230991.tif 000019
【図１８】
2006230991.tif 000020
【図１９】
2006230991.tif 000021
【図２０】
2006230991.tif 000022
【図２１】
2006230991.tif 000023
【図２２】
2006230991.tif 000024